(57)【要約】      （修正有）【課題】操作者の負担を軽減することが可能な監視制御システムを提供する。【解決手段】ポイント名称検索部２０１が、入力されたキーワードから、ポイント情報データベースを参照することで前記キーワードに紐付けされたポイント名称を検索し、前記ポイント名称に割り当てられた監視重要度を取得する。ポイント名称決定部２０２が、前記ポイント名称検索部で検索されたポイント名称のうち、前記監視重要度が高いものを少なくとも１つ選択する。位置情報設定部２０３が、前記ポイント名称決定部で選択されたポイント名称に対応した位置情報を設定する。撮影装置制御部２０５が、前記位置情報に応じて撮影装置を制御する。表示制御部２０６が、前記撮影装置によって撮影された撮影物の画像情報を取得する。【選択図】図２
2014002491.tif 000002
【特許請求の範囲】
【請求項１】
入力されたキーワードから、ポイント情報データベースを参照することで前記キーワードに紐付けされたポイント名称を検索し、前記ポイント名称に割り当てられた監視重要度を取得するポイント名称検索部と、
前記ポイント名称検索部で検索されたポイント名称のうち、前記監視重要度が高いものを少なくとも１つ選択するポイント名称決定部と、
前記ポイント名称決定部で選択されたポイント名称に対応した位置情報を設定する位置情報設定部と、
前記位置情報に応じて撮影装置を制御する撮影装置制御部と、
前記撮影装置によって撮影された撮影物の画像情報を取得する表示制御部と
を有する監視制御システム。
【請求項２】
入力されたキーワードから、ポイント情報データベースを参照することで前記キーワードに紐付けされたポイント名称を検索し、前記ポイント名称に割り当てられた監視重要度を取得するポイント名称検索部と、
前記ポイント名称検索部で検索されたポイント名称のうち、前記監視重要度が高いものを少なくとも１つ選択するポイント名称決定部と、
前記ポイント名称決定部で選択されたポイント名称に対応したポイントのマップ座標を設定する位置情報設定部と、
前記マップ座標に応じて撮影装置を制御する撮影装置制御部と、
前記撮影装置によって撮影された撮影物の画像情報を取得する表示制御部と
を有する監視制御システム。
【請求項３】
入力されたキーワードから、ポイント情報データベースを参照することで前記キーワードに紐付けされたポイント名称を検索し、前記ポイント名称に割り当てられた監視重要度を取得するポイント名称検索部と、
前記ポイント名称検索部で検索されたポイント名称のうち、前記監視重要度が高いものを少なくとも１つ選択するポイント名称決定部と、
前記ポイント名称決定部で選択されたポイント名称に対応したポイントを撮影するための撮影座標を設定する位置情報設定部と、
前記撮影座標に応じて撮影装置を制御する撮影装置制御部と、
前記撮影装置によって撮影された撮影物の画像情報を取得する表示制御部と
を有する監視制御システム。
【請求項４】
入力されたキーワードから、ポイント情報データベースを参照することで前記キーワードに紐付けされたポイント名称を検索し、前記ポイント名称に割り当てられた監視重要度を取得するポイント名称検索部と、
前記ポイント名称検索部で検索されたポイント名称のうち、前記監視重要度が高いものを少なくとも１つ選択するポイント名称決定部と、
前記ポイント名称決定部で選択されたポイント名称に対応したポイントのマップ座標を設定する位置情報設定部と、
前記マップ座標を撮影座標に変換する座標変換部と、
前記撮影座標に応じて撮影装置を制御する撮影装置制御部と、
前記撮影装置によって撮影された撮影物の画像情報を取得する表示制御部と
を有する監視制御システム。
【請求項５】
入力されたキーワードから、ポイント情報データベースを参照することで前記キーワードに紐付けされたポイント名称を検索するポイント名称検索部と、
前記ポイント名称検索部で検索されたポイント名称に対して、単語データベースを参照し、前記単語データベースに格納される単語と前記単語に割り当てられる単語重要度を用いて監視重要度を算出する監視重要度算出部と、
前記ポイント名称検索部で検索されたポイント名称のうち、前記監視重要度が高いものを少なくとも１つ選択するポイント名称決定部と、
前記ポイント名称決定部で選択されたポイント名称に対応した位置情報を設定する位置情報設定部と、
前記位置情報に応じて撮影装置を制御する撮影装置制御部と、
前記撮影装置によって撮影された撮影物の画像情報を取得する表示制御部と
を有する監視制御システム。
【請求項６】
入力されたキーワードから、ポイント情報データベースを参照することで前記キーワードに紐付けされたポイント名称を検索するポイント名称検索部と、
前記ポイント名称検索部で検索されたポイント名称に対して、単語データベースを参照し、前記単語データベースに格納される単語と前記単語に割り当てられる単語重要度を用いて監視重要度を算出する監視重要度算出部と、
前記ポイント名称検索部で検索されたポイント名称のうち、前記監視重要度が高いものを少なくとも１つ選択するポイント名称決定部と、
前記ポイント名称決定部で選択されたポイント名称に対応したポイントのマップ座標を設定する位置情報設定部と、
前記マップ座標に応じて撮影装置を制御する撮影装置制御部と、
前記撮影装置によって撮影された撮影物の画像情報を取得する表示制御部と
を有する監視制御システム。
【請求項７】
入力されたキーワードから、ポイント情報データベースを参照することで前記キーワードに紐付けされたポイント名称を検索するポイント名称検索部と、
前記ポイント名称検索部で検索されたポイント名称に対して、単語データベースを参照し、前記単語データベースに格納される単語と前記単語に割り当てられる単語重要度を用いて監視重要度を算出する監視重要度算出部と、
前記ポイント名称検索部で検索されたポイント名称のうち、前記監視重要度が高いものを少なくとも１つ選択するポイント名称決定部と、
前記ポイント名称決定部で選択されたポイント名称に対応したポイントを撮影するための撮影座標を設定する位置情報設定部と、
前記撮影座標に応じて撮影装置を制御する撮影装置制御部と、
前記撮影装置によって撮影された撮影物の画像情報を取得する表示制御部と
を有する監視制御システム。
【請求項８】
入力されたキーワードから、ポイント情報データベースを参照することで前記キーワードに紐付けされたポイント名称を検索するポイント名称検索部と、
前記ポイント名称検索部で検索されたポイント名称に対して、単語データベースを参照し、前記単語データベースに格納される単語と前記単語に割り当てられる単語重要度を用いて監視重要度を算出する監視重要度算出部と、
前記ポイント名称検索部で検索されたポイント名称のうち、前記監視重要度が高いものを少なくとも１つ選択するポイント名称決定部と、
前記ポイント名称決定部で選択されたポイント名称に対応したポイントのマップ座標を設定する位置情報設定部と、
前記マップ座標を撮影座標に変換する座標変換部と、
前記撮影座標に応じて撮影装置を制御する撮影装置制御部と、
前記撮影装置によって撮影された撮影物の画像情報を取得する表示制御部と
を有する監視制御システム。
【請求項９】
前記単語データベースを書き換える単語情報変更部をさらに有する請求項５乃至請求項８のいずれか１項に記載の監視制御システム。
【発明の詳細な説明】
【技術分野】
【０００１】
本発明の実施形態は、監視制御システムに関する。
【背景技術】
【０００２】
監視制御システムでは、監視画面を切り換えながら監視を行うため、操作者の負担となり、また必要な画面を映し出すまでに時間が掛かる。対策として、キーワードを入力することにより、キーワードに関係する運転監視画面を検索して表示する方法が挙げられる。しかし、撮影装置の監視ポイントを変更させる場合には、操作者が制御する必要があるため、依然として操作者に負担が掛かる。
【先行技術文献】
【特許文献】
【０００３】
【特許文献１】特開２０１１−２４８６２４号公報
【発明の概要】
【発明が解決しようとする課題】
【０００４】
本発明の実施形態が解決しようとする課題は、操作者の負担を軽減することが可能な監視制御システムを提供することである。
【課題を解決するための手段】
【０００５】
実施形態の監視制御システムは、ポイント名称検索部が、入力されたキーワードから、ポイント情報データベースを参照することで前記キーワードに紐付けされたポイント名称を検索し、前記ポイント名称に割り当てられた監視重要度を取得する。ポイント名称決定部が、前記ポイント名称検索部で検索されたポイント名称のうち、前記監視重要度が高いものを少なくとも１つ選択する。位置情報設定部が、前記ポイント名称決定部で選択されたポイント名称に対応した位置情報を設定する。撮影装置制御部が、前記位置情報に応じて撮影装置を制御する。表示制御部が、前記撮影装置によって撮影された撮影物の画像情報を取得する。
【図面の簡単な説明】
【０００６】
【図１】第１の実施形態の監視制御システムの構成を示すブロック図。
【図２】第１の実施形態の監視制御システムにおける監視制御部の構成を示すブロック図。
【図３】第１の実施形態の監視制御システムにおけるポイント情報ＤＢに格納されたテーブルの一例を示す説明図。
【図４】第１の実施形態の監視制御システムにおける座標情報ＤＢに格納されたテーブルの一例を示す説明図。
【図５】第１の実施形態の監視制御システムの動作を示すフローチャート。
【図６】第２の実施形態の監視制御システムの構成を示すブロック図。
【図７】第２の実施形態の監視制御システムにおける監視制御部の構成を示すブロック図。
【図８】第２の実施形態の監視制御システムにおけるポイント情報ＤＢに格納されたテーブルの一例を示す説明図。
【図９】第２の実施形態の監視制御システムにおける単語ＤＢに格納されたテーブルの一例を示す説明図。
【図１０】第２の実施形態の監視制御システムの動作を示すフローチャート。
【発明を実施するための形態】
【０００７】
以下、実施形態を図面に基づき説明する。
【０００８】
（第１の実施形態）
図１は第１の実施形態の監視制御システムの構成を示すブロック図、図２は第１の実施形態の監視制御システムにおける監視制御部の構成を示すブロック図である。
【０００９】
第１の実施形態の監視制御システムは、操作者からの入力を受け付ける入力部１、監視に関する制御を行う監視制御部２、監視制御部２で用いられる各種ＤＢ（Ｄａｔａ  Ｂａｓｅ：データベース）及びプログラムを記憶する記憶部３、監視するポイントを撮影する撮影部４、撮影部４で撮影された監視ポイントを表示する表示部５を有する。ここで、監視制御部２は、ポイント名称検索部２０１、ポイント名称決定部２０２、位置情報設定部２０３、座標変換部２０４、撮影装置制御部２０５、表示制御部２０６を有する。
【００１０】
入力部１は、キーボードやボタン、ペン、タッチパネルなどの入力制御を行う入力装置、入力手段であり、操作者によって監視ポイントに関連するキーワードが入力される。さらに、人の発する音声を認識することにより、入力信号として検出する機能を備えていてもよい。入力操作は、操作者がキーボードやボタン、ペン、タッチパネル、音声などで直接入力してもよいし、一覧表から指定してもよい。
【００１１】
記憶部３は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリ及び、ハードディスクドライブ（Ｈａｒｄ  Ｄｉｓｋ  Ｄｒｉｖｅ：ＨＤＤ）などの記憶装置、記憶手段である。ＨＤＤなどの磁気ディスク以外にも光磁気ディスクやＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ブルーレイディスク（Ｂｌｕ−ｒａｙ  Ｄｉｓｃ）などの光ディスクを利用してもよい。
【００１２】
記憶部３には、ポイント名称検索部２０１でのポイント名称の検索や位置情報設定部２０３での監視ポイントのマップ座標設定に利用されるポイント情報ＤＢ３０１、座標変換部２０４においてマップ座標から撮影座標へ変換する際に利用される座標情報ＤＢ３０２が格納されている。また、ＣＰＵ（Ｃｅｎｔｒａｌ  Ｐｒｏｃｅｓｓｉｎｇ  Ｕｎｉｔ）が監視制御部２での処理に必要なプログラムが格納されている。
【００１３】
例えば、ポイント情報ＤＢ３０１には、図３に示すように監視するポイントの名称であるポイント名称、ポイント名称の監視重要度、監視するポイントのマップ座標（Ｘ，Ｙ）、監視するポイントに関連するキーワードが予め紐付けされている。
【００１４】
座標情報ＤＢ３０２には、図４に示すように監視するポイントのマップ座標（Ｘ，Ｙ）に対応する、撮影装置の撮影座標が予め紐付けされている。ここで撮影座標とは、撮影装置の（番号、パン、チルト、ズーム）を表す。マップ座標と撮影座標のどちらか一方、もしくはマップ座標と撮影座標の両方を位置情報と呼ぶ。
【００１５】
ただし、上記のポイント情報ＤＢ３０１及び座標情報ＤＢ３０２に格納される情報は一例であり、これらに限定されるものではない。例えば座標情報ＤＢ３０２について、図４では１つのマップ座標に対して、１つの撮影座標が紐付けされているが、１つのマップ座標に対して、複数の撮影座標が紐付けされていてもよい。その場合、どの撮影座標を選択するかについては、予め設定しておいてもよいし、操作者が選択できるようにしてもよい。
【００１６】
撮影部４は、監視するポイントを撮影する撮影装置、撮影手段であり、具体的には、アナログカメラ、デジタルカメラ、ＩＴＶカメラなどがある。図１では、一つのみ記載しているが複数あってもよい。
【００１７】
表示部５は、液晶ディスプレイ、有機ＥＬディスプレイ、プラズマディスプレイなどの出力装置、出力手段であり、撮影部４で撮影された監視ポイントなどが表示される。さらに、音を発する機能を備えていてもよい。
【００１８】
監視制御部２は、ポイント名称検索部２０１、ポイント名称決定部２０２、位置情報設定部２０３、座標変換部２０４、撮影装置制御部２０５、表示制御部２０６を有し、ＣＰＵによって記憶部３から必要なプログラムが読み出され、実行されることによって実現される。
【００１９】
ここで、ポイント名称検索部２０１は、入力部１によって入力されたキーワードからポイント名称を検索し、検索されたポイント名称に割り当てられた監視重要度を取得する。そして、検索されたポイント名称の文字情報と、そのポイント名称に割り当てられた監視重要度の文字情報をポイント名称決定部２０２に出力する。
【００２０】
ポイント名称決定部２０２は、ポイント名称検索部２０１で検索されたポイント名称の文字情報と監視重要度の文字情報を取得し、監視重要度の最も高いポイント名称を選択する。ここで、ポイント名称は、監視重要度の高い順に複数選択されてもよい。選択されるポイント名称の数は、予め設定されていてもよいし、入力部１によって操作者が入力、選択できるようにしてもよい。
【００２１】
そして、選択されたポイント名称の文字情報を位置情報設定部２０３に出力する。
【００２２】
位置情報設定部２０３は、ポイント名称決定部２０２で選択されたポイント名称の文字情報を取得し、ポイント情報ＤＢ３０１を参照することで、選択されたポイント名称に対応する監視ポイントのマップ座標を設定する。そして、マップ座標の値を座標変換部２０４に出力する。
【００２３】
座標変換部２０４は、位置情報設定部２０３で設定されたマップ座標の値を取得し、撮影座標に変換する。そして、撮影座標の値を撮影装置制御部２０５に出力する。
【００２４】
撮影装置制御部２０５は、座標変換部２０４から撮影座標の値を取得し、撮影座標中の番号に対応した撮影部４に対して、撮影座標から得られるパン、チルト、ズームの命令を出力する。
【００２５】
表示制御部２０６は、撮影部４によって撮影された監視ポイントの画像情報を取得し、表示部５に出力する。
【００２６】
次に動作について図５を用いて説明する。図５は第１の実施形態の監視制御システムの動作を示すフローチャートである。
【００２７】
ポイント名称検索部２０１が、入力部１に入力されたキーワードの文字情報を取得する（ステップＳ１０１）。
【００２８】
ポイント名称検索部２０１が、ポイント情報ＤＢ３０１を参照することによって、ポイント名称を検索し、検索されたポイント名称に割り当てられた監視重要度を取得する（ステップＳ１０２）。
【００２９】
そしてポイント名称検索部２０１が、検索されたポイント名称の文字情報と、そのポイント名称に割り当てられた監視重要度の文字情報をポイント名称決定部２０２に出力する（ステップＳ１０３ＹＥＳ）。入力されたキーワードからポイント名称が検索されない場合は、例えば、「該当するポイント名称がありません。キーワードを入れ直してください」といった、操作者にキーワードを入れ直させる旨を示す文字情報を表示部５に出力する（ステップＳ１０３ＮＯ）。
【００３０】
例として、（ステップＳ１０１）において「冷たい」というキーワードが入力された場合を考える。この場合、図３に示したポイント情報ＤＢ３０１を参照することによって、ポイント名称「冷却塔バイパス弁開度」と「第３ガスヤード設備用水流量」が検索されることになる。
【００３１】
ポイント名称決定部２０２が、ポイント名称検索部２０１で検索されたポイント名称の文字情報と監視重要度の文字情報を取得し、監視重要度の高い順にポイント名称を少なくとも１つ選択する。そして、選択されたポイント名称の文字情報を位置情報設定部２０３に出力する（ステップＳ１０４）。
【００３２】
具体例として、（ステップＳ１０２）において図３中の２つのポイント名称「母線保護切換」「冷却塔バイパス弁開度」が検索された場合を考える。ここで、「母線保護切換」の監視重要度が５Ｐ、「冷却塔バイパス弁開度」の監視重要度が３Ｐであるため、（ステップＳ１０４）において最も監視重要度の高いポイント名称を１つ選択する場合では、「母線保護切換」が選ばれる。
【００３３】
位置情報設定部２０３が、ポイント名称決定部２０２で選択されたポイント名称の文字情報を取得し、ポイント情報ＤＢ３０１を参照することで、選択されたポイント名称に対応する監視ポイントのマップ座標を設定する。そして、設定されたマップ座標の値を座標変換部２０４に出力する（ステップＳ１０５）。
【００３４】
ポイント名称「母線保護切換」を例に取ると、図３に示したポイント情報ＤＢ３０１を参照することによって、「母線保護切換」に紐付けされたマップ座標（５０，５０）が設定される。
【００３５】
座標変換部２０４が、位置情報設定部２０３で設定されたマップ座標の値を取得し、座標情報ＤＢ３０２を参照することで、撮影座標に変換する。そして、変換された撮影座標の値を撮影装置制御部２０５に出力する（ステップＳ１０６）。
【００３６】
（ステップＳ１０５）で示した例の場合では、図４に示した座標情報ＤＢ３０２を参照することによって、マップ座標（５０，５０）が撮影座標（６５，５，１７，４）に変換される。
【００３７】
撮影装置制御部２０５が、座標変換部２０４から撮影座標の値を取得し、撮影座標中の番号に対応した撮影部４に対して、撮影座標から得られるパン、チルト、ズームの命令を出力する（ステップＳ１０７）。
【００３８】
表示制御部２０６が、撮影部４によって撮影された監視ポイントの画像情報を取得し、表示部５に出力する（ステップＳ１０８）。
【００３９】
表示部５が、撮影部４によって撮影された監視ポイントの静止画や動画を表示する。撮影された監視ポイントが複数ある場合は、複数の画像を表示する（ステップＳ１０９）。
【００４０】
以上説明したように、この第１の実施形態の監視制御システムでは、操作者が入力したキーワードに応じて監視ポイントを決定し、その監視ポイントを映し出すように撮影装置の制御が可能である。そのため、撮影装置の監視ポイントを変更させる際に操作者が制御する必要がなく、操作者の負担を軽減することができる。
【００４１】
（第２の実施形態）
第２の実施形態の構成について、図６、図７を用いて説明する。なお、第１の実施形態の監視制御システムの各部と同一部分は同一符号で示し、説明は省略する。図６は第２の実施形態の監視制御システムの構成を示すブロック図、図７は第２の実施形態の監視制御システムにおける監視制御部の構成を示すブロック図である。
【００４２】
この第２の実施形態が、第１の実施形態と異なる点は監視制御部６、記憶部７にある。
【００４３】
監視制御部６は、ポイント名称検索部２０７、監視重要度算出部２０８、ポイント名称決定部２０９、位置情報設定部２１０、座標変換部２０４、撮影装置制御部２０５、表示制御部２０６を有する
記憶部７は、ＲＡＭやＲＯＭなどのメモリ及び、ハードディスクドライブなどの記憶装置、記憶手段である。ＨＤＤなどの磁気ディスク以外にも光磁気ディスクやＣＤ、ＤＶＤ、ブルーレイディスクなどの光ディスクを利用してもよい。
【００４４】
記憶部７には、ポイント名称検索部２０７でのポイント名称の検索や位置情報設定部２１０での監視ポイントのマップ座標設定に利用されるポイント情報ＤＢ３０３、座標変換部２０４においてマップ座標から撮影座標へ変換する際に利用される座標情報ＤＢ３０２、監視重要度算出部２０８での監視重要度の算出に利用される単語ＤＢ３０４が格納されている。また、ＣＰＵが監視制御部６での処理に必要なプログラムが格納されている。
【００４５】
例えば、ポイント情報ＤＢ３０３には、図８に示すように監視するポイントの名称であるポイント名称、ポイント名称に対応する監視区分、監視区分に割り当てられた値である監視区分値、監視するポイントのマップ座標（Ｘ，Ｙ）、監視するポイントに関連するキーワードが予め紐付けされている。
【００４６】
単語ＤＢ３０４には、図９に示すように各ポイント名称を単語に分割した文字情報と、各単語に割り当てられた値（単語重要度）が格納されている。
【００４７】
ただし、上記のポイント情報ＤＢ３０３及び単語ＤＢ３０４に格納される情報は一例であり、これらに限定されるものではない。
【００４８】
ポイント名称検索部２０７は、入力部１によって入力されたキーワードからポイント名称を検索し、検索されたポイント名称の文字情報を監視重要度算出部２０８に出力する。
【００４９】
監視重要度算出部２０８は、ポイント名称検索部２０７で検索されたポイント名称の文字情報を取得し、ポイント情報ＤＢ３０３及び単語ＤＢ３０４を参照することで、検索されたポイント名称の監視重要度を算出する。そして、ポイント名称の文字情報と、算出された監視重要度の文字情報をポイント名称決定部２０９に出力する。
【００５０】
ポイント名称決定部２０９は、監視重要度算出部２０８から、ポイント名称の文字情報と監視重要度の文字情報を取得し、監視重要度の最も高いポイント名称を選択する。ここで、ポイント名称は、監視重要度の高い順に複数選択されてもよい。選択されるポイント名称の数は、予め設定されていてもよいし、入力部１によって操作者が入力、選択できるようにしてもよい。
【００５１】
そして、選択されたポイント名称の文字情報を位置情報設定部２１０に出力する。
【００５２】
位置情報設定部２１０は、ポイント名称決定部２０９で選択されたポイント名称の文字情報を取得し、ポイント情報ＤＢ３０３を参照することで、選択されたポイント名称に対応する監視ポイントのマップ座標を設定する。そして、マップ座標の値を座標変換部２０４に出力する。
【００５３】
座標変換部２０４、撮影装置制御部２０５、表示制御部２０６については、第１の実施形態と同様であるので省略する。
【００５４】
次に動作について図１０を用いて説明する。図１０は第２の実施形態の監視制御システムの動作を示すフローチャートである。
【００５５】
ポイント名称検索部２０７が、入力部１に入力されたキーワードの文字情報を取得する（ステップＳ１０１）。
【００５６】
ポイント名称検索部２０７が、ポイント情報ＤＢ３０３を参照することによって、ポイント名称を検索する（ステップＳ１１０）。
【００５７】
そしてポイント名称検索部２０７が、検索されたポイント名称の文字情報を監視重要度算出部２０８に出力する（ステップＳ１１１ＹＥＳ）。入力されたキーワードからポイント名称が検索されない場合は、例えば、「該当するポイント名称がありません。キーワードを入れ直してください」といった、操作者にキーワードを入れ直させる旨を示す文字情報を表示部５に出力する。
【００５８】
監視重要度算出部２０８が、ポイント名称検索部２０７で検索されたポイント名称の文字情報を取得し、ポイント情報ＤＢ３０３を参照することで、検索されたポイント名称に対応した監視区分及び監視区分値を求める。また、検索されたポイント名称を単語に分割し、単語ＤＢ３０４から該当する単語と単語重要度を求める。
【００５９】
そして、各単語重要度を足し合わせることでポイント名称値を求める。また、監視区分値とポイント名称値を掛け合わせることで、監視重要度を算出する。具体的には、以下の式で与えられる。
【００６０】
監視重要度＝監視区分値×ポイント名称値
そして、ポイント名称の文字情報と、算出された監視重要度の文字情報をポイント名称決定部２０９に出力する（ステップＳ１１２）。
【００６１】
具体例として、ポイント名称検索部２０７において、２つのポイント名称「冷却塔バイパス弁開度」、「第３ガスヤード設備用水流量」が検索された場合を考える。
【００６２】
図８に示すポイント情報ＤＢ３０３を参照することで、「冷却塔バイパス弁開度」の監視区分が「空調」であり、監視区分値が３Ｐであることが求められる。同様に「第３ガスヤード設備用水流量」の監視区分が「熱源」であり、監視区分値が２Ｐであることが求められる。
【００６３】
また、「冷却塔バイパス弁開度」を単語に分割し、図９に示す単語ＤＢ３０４を参照すると、「冷却塔」と「バイパス」が該当することが求められる。それぞれの単語重要度は「冷却塔」が２Ｐ、「バイパス」が１Ｐであるため、それらを足し合わせることで、「冷却塔バイパス弁開度」のポイント名称値は３Ｐであることが求められる。同様に、「第３ガスヤード設備用水流量」を単語に分割し、図９に示す単語ＤＢ３０４を参照すると、「ガスヤード」と「流量」が該当することが求められる。それぞれの単語重要度は「ガスヤード」が３Ｐ、「流量」が１Ｐであるため、それらを足し合わせることで、「第３ガスヤード設備用水流量」のポイント名称値は４Ｐであることが求められる。
【００６４】
監視重要度は、監視区分値とポイント名称値を掛け合わせることで求められるため、「冷却塔バイパス弁開度」の監視重要度は９（３×３）、「第３ガスヤード設備用水流量」の監視重要度は８（２×４）となる。
【００６５】
ポイント名称決定部２０９が、監視重要度算出部２０８から、ポイント名称の文字情報と監視重要度の文字情報を取得し、監視重要度の高い順にポイント名称を少なくとも１つ選択する。そして、選択されたポイント名称の文字情報を位置情報設定部２０３に出力する（ステップＳ１１３）。
【００６６】
（ステップＳ１１２）で示した具体例において、監視重要度の最も高いポイント名称を１つ選択する場合は、「冷却塔バイパス弁開度」が選ばれることになる。
【００６７】
位置情報設定部２１０が、ポイント名称決定部２０９で選択されたポイント名称の文字情報を取得し、ポイント情報ＤＢ３０３を参照することで、選択されたポイント名称に対応する監視ポイントのマップ座標を設定する。そして、設定されたマップ座標の値を座標変換部２０４に出力する（ステップＳ１１４）。
【００６８】
（ステップＳ１０６）乃至（ステップＳ１０９）は第１の実施形態と同様であるので省略する。
【００６９】
この第２の実施形態の監視制御システムでは、第１の実施形態で得られる効果に加えて、予めポイント名称ごとに監視重要度を設定しておく必要がなく、単語重要度に応じて監視重要度の算出が可能である。
【００７０】
なお、第２の実施形態の監視制御システムの変形例として、操作者が単語ＤＢ３０４に格納されている単語や単語重要度の情報を変更する単語情報変更部を有していてもよい。単語情報変更部は、操作者が入力部１を用いて単語の追加・削除や単語重要度の更新を行った際に、その単語や単語重要度の文字情報を取得する。そして、単語ＤＢ３０４に出力することによって単語ＤＢ３０４を書き換える。
【００７１】
このような変形例では、単語ＤＢ３０４に格納された単語や単語重要度を変更することで、対応するポイント名称の監視重要度も変更することができるため、操作者の意図を容易に反映することができる。
【００７２】
以上説明した少なくとも一つの実施形態によれば、操作者が入力したキーワードに応じて監視ポイントを決定し、その監視ポイントを映し出すように撮影装置の制御が可能である。そのため、撮影装置の監視ポイントを変更させる際に操作者が制御する必要がなく、操作者の負担を軽減することができる。
【００７３】
上記の実施例では、位置情報設定部２０３，２１０がマップ座標を設定し、座標変換部２０４が撮影座標に変換しているが、位置情報設定部２０３，２１０が撮影座標の設定を行ってもよい。その場合は、座標変換部２０４は必要なくなる。
【００７４】
本発明のいくつかの実施形態について説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００７５】
１…入力部
２，６…監視制御部
２０１，２０７…ポイント名称検索部
２０２，２０９…ポイント名称決定部
２０３，２１０…位置情報設定部
２０４…座標変換部
２０５…撮影装置制御部
２０６…表示制御部
２０８…監視重要度算出部
３，７…記憶部
３０１，３０３…ポイント情報ＤＢ（Ｄａｔａ  Ｂａｓｅ：データベース）
３０２…座標情報ＤＢ
３０４…単語ＤＢ
４…撮影部
５…表示部
【図１】
2014002491.tif 000003
【図２】
2014002491.tif 000004
【図３】
2014002491.tif 000005
【図４】
2014002491.tif 000006
【図５】
2014002491.tif 000007
【図６】
2014002491.tif 000008
【図７】
2014002491.tif 000009
【図８】
2014002491.tif 000010
【図９】
2014002491.tif 000011
【図１０】
2014002491.tif 000012